(57)【要約】【課題】現像搬送径路が延長された場合でも、現像ラックの洗浄作業を作業者に負担を掛けることなく一人で行うことが可能な現像ラックユニット及び現像処理装置を提供する。【解決手段】この現像ラックユニット２０は、上下に２分割された下部ユニット２２と上部ユニット２１とを有し、現像処理装置本体に設置されるものであって、下部ユニットを現像処理装置本体の基準パネル１８，１９からの吊り下げ構成とし、上部ユニットを下部ユニットに対し下部ユニットの前パネル及び後パネルの上下方向に離間した各々２箇所Ａ１，Ａ２，Ｃ１，Ｃ２において係合させるようにして上部ユニットを下部ユニットの上方に相対的に積載させる。【選択図】図７
2007309993.tif 000002
【特許請求の範囲】
【請求項１】
上下に２分割された下部ユニットと上部ユニットとを有し、現像処理装置本体に設置される現像ラックユニットであって、
前記下部ユニットを前記現像処理装置本体の基準パネルからの吊り下げ構成とし、
前記上部ユニットを前記下部ユニットに対し前記下部ユニットの前パネル及び後パネルの上下方向に離間した各々２箇所において係合させるようにして前記上部ユニットを前記下部ユニットの上方に相対的に積載させたことを特徴とする現像ラックユニット。
【請求項２】
前記上部ユニットは前記下部ユニットへの積載状態にかかる前記下部ユニットの躯体形状に従った躯体形状を形成するように柔軟構造を有することを特徴とする請求項１に記載の現像ラックユニット。
【請求項３】
前記下部ユニットに対する前記上部ユニットの固着力は、前記下部ユニット内の搬送ローラを前記上部ユニット内から回転駆動せしめる駆動力により得られることを特徴とする請求項１または２に記載の現像ラックユニット。
【請求項４】
前記固着力は前記下部ユニットの搬送ローラを駆動する歯車伝達力を利用して得られることを特徴とする請求項３に記載の現像ラックユニット。
【請求項５】
上下に２分割された下部ユニットと上部ユニットとを有し、現像処理装置本体に設置される現像ラックユニットであって、
前記下部ユニット内の搬送ローラを前記上部ユニット内から回転駆動せしめる駆動力により得られた固着力で前記上部ユニットを前記下部ユニットに締結させることを特徴とする現像ラックユニット。
【請求項６】
前記固着力は前記下部ユニットの搬送ローラを駆動する歯車伝達力を利用して得られることを特徴とする請求項５に記載の現像ラックユニット。
【請求項７】
請求項１乃至４のいずれか１項に記載の現像ラックユニットを備え、前記下部ユニット及び前記上部ユニット内の搬送ローラによりシート状の感光材料を搬送し現像処理を行う現像処理装置。
【発明の詳細な説明】
【技術分野】
【０００１】
本発明は、上下に２分割された下部ユニットと上部ユニットとを有する現像ラックユニット及び現像処理装置に関する。
【背景技術】
【０００２】
従来、露光により潜像が形成されたシート状の感光材料を現像液等により現像処理する現像処理装置が公知であるが、この現像処理装置内の現像ラックは、現像処理液を充満した現像処理液槽内に据え置きされ、感光材料を現像処理液槽内で搬送し現像プロセスを形成する。一定量のシート状の感光材料を搬送し現像プロセスを行った場合、現像能力の劣化した現像処理液を廃液処理し、現像ラックを洗浄する作業が行われる。
【０００３】
近年、現像処理装置の現像性能を向上させるため、現像搬送径路が延長され、現像処理時間を長時間にする要求があり、このため、現像ラックの形態が鉛直方向に延びており、その重量は１０ｋｇｗを越えてしまい、作業者一人による取り扱い性は極めて困難なものとなってきており、また、洗浄作業も行い難くなってきている。
【０００４】
ラックの洗浄作業の際には、一人で持ち上げなければならない現像ラックの重量は、作業者の取り扱える範囲（８ｋｇｗ程度）を超えており、現像装置からの抜き出し作業や抜き差し作業が困難となってしまっている。また、現像ラックの形態も細長く、作業性を著しく悪化させてしまい、一人で洗浄作業を行うことは極めて困難となっている。
【０００５】
現像ラックの洗浄作業の簡略化のため、下記特許文献１のように、現像ラックを上下に２分割する構成が公知である。また、下記特許文献２は、感光材料搬送ラックを、処理液に浸漬される搬送手段を備えた下部ラックと処理液に浸漬されない上部ラックとに分割し、上部ラックの清掃を容易にする感光材料搬送ラック装置を開示する。また、下記特許文献３は、縦長の処理部に対して挿脱自在にされる搬送用ラックを２分割にすることで、天井部の工事などを不要にして、通常の天井高さの設置場所に設置可能にでき、かつラック洗浄作業を容易にする処理ラックを開示する。
【特許文献１】特開昭５８−９５７３８号公報
【特許文献２】特開平０４−１８２６４６号公報
【特許文献３】実開平０６−２３５８号公報
【発明の開示】
【発明が解決しようとする課題】
【０００６】
現像搬送径路が延長されること等による重量増加の対策のため現像ラックを分割して構成する場合、上下ラックにねじやラッチ等の締結手段が必要となるが、洗浄作業の度に締結手段の取り外し・取り付けが必要になるとともに、取り付けの際には上下ラックの取り付け精度が要求され、作業者の負担が増えてしまい、重量増加の対策のため現像ラックを分割しても一人作業が困難となってしまう。
【０００７】
本発明は、上述のような従来技術の問題に鑑み、現像搬送径路が延長された場合でも、現像ラックの洗浄作業を作業者に負担を掛けることなく一人で行うことが可能な現像ラックユニット及び現像処理装置を提供することを目的とする。
【課題を解決するための手段】
【０００８】
上記目的を達成するために、本発明による現像ラックユニットは、上下に２分割された下部ユニットと上部ユニットとを有し、現像処理装置本体に設置される現像ラックユニットであって、前記下部ユニットを前記現像処理装置本体の基準パネルからの吊り下げ構成とし、前記上部ユニットを前記下部ユニットに対し前記下部ユニットの前パネル及び後パネルの上下方向に離間した各々２箇所において係合させるようにして前記上部ユニットを前記下部ユニットの上方に相対的に積載させたことを特徴とする。
【０００９】
この現像ラックユニットによれば、下部ユニットを現像処理装置本体の基準パネルからの吊り下げ構成とし、上部ユニットを下部ユニットの上方に相対的に積載させ、上部ユニットを下部ユニットに対し下部ユニットの前パネル及び後パネルの上下方向に離間した各々２箇所において係合させることで、上部ユニットを下部ユニットに相対位置精度のよい状態で簡単に取り付けることができるので、現像搬送径路が延長された場合でも分割構成とすることによる各ラックの重量軽減の実現と相まって、現像ラックの洗浄作業を作業者に負担を掛けることなく一人で行うことが可能となる。
【００１０】
上記現像ラックユニットにおいて前記上部ユニットは前記下部ユニットへの積載状態にかかる前記下部ユニットの躯体形状に従った躯体形状を形成するように柔軟構造を有することが好ましい。このように、上部ユニットは、柔軟構造を有し筐体としての剛性を有さず、下部ユニットへ積載されたときに下部ユニットの躯体形状に従った躯体形状を形成するので、下部ユニットの精度に依存し、上部ユニットの精度はさほど要求されず、組み立て性及び洗浄等のメンテナンス性が向上する。
【００１１】
また、前記下部ユニットに対する前記上部ユニットの固着力は、前記下部ユニット内の搬送ローラを前記上部ユニット内から回転駆動せしめる駆動力により得られるので、上部ユニットを下部ユニットに特別な手段を施さずに確実にかつ精度よく締結し取り付けることが可能となり、洗浄作業等における一人作業を実現できる。この場合、前記固着力は前記下部ユニットの搬送ローラを駆動する歯車伝達力を利用して得ることができる。
【００１２】
本発明による別の現像ラックユニットは、上下に２分割された下部ユニットと上部ユニットとを有し、現像処理装置本体に設置される現像ラックユニットであって、前記下部ユニット内の搬送ローラを前記上部ユニット内から回転駆動せしめる駆動力により得られた固着力で前記上部ユニットを前記下部ユニットに締結させることを特徴とする。
【００１３】
この現像ラックユニットによれば、下部ユニット内の搬送ローラを上部ユニット内から回転駆動せしめる駆動力により得た固着力により上部ユニットを下部ユニットに締結させるので、上部ユニットを下部ユニットに特別な手段を施さずに確実にかつ精度よく締結し取り付けることが可能となり、洗浄作業等における一人作業を実現できる。このため、現像搬送径路が延長された場合でも分割構成とすることによる各ラックの重量軽減の実現と相まって、現像ラックの洗浄作業を作業者に負担を掛けることなく一人で行うことが可能となる。
【００１４】
上記現像ラックユニットにおいて前記固着力は前記下部ユニットの搬送ローラを駆動する歯車伝達力を利用して得ることができる。
【００１５】
また、本発明による現像処理装置は、上述の現像ラックユニットを備え、前記下部ユニット及び前記上部ユニット内の搬送ローラによりシート状の感光材料を搬送し現像処理を行うものである。
【００１６】
この現像処理装置によれば、現像搬送径路が延長された場合でも分割構成とすることで各ラックの重量軽減を実現できるとともに現像ラックの洗浄作業を作業者に負担を掛けることなく一人で行うことが可能となる。
【発明の効果】
【００１７】
本発明の現像ラックユニット及び現像処理装置によれば、現像搬送径路が延長された場合でも、現像ラックの洗浄作業を作業者に負担を掛けることなく一人で行うことが可能となる。
【発明を実施するための最良の形態】
【００１８】
以下、本発明を実施するための最良の形態について図面を用いて説明する。図１は本実施の形態による現像ラックユニットを含む現像処理装置の全体を示す正面図である。図２は図１の右方から図１のセンターガイドをみた図である。図３は図１の現像ラックユニットの前方側における上部ユニットと下部ユニットとの積載・接続状態を示す図である。図４は図１の現像ラックユニットの後方側における上部ユニットと下部ユニットとの積載・接続状態及び上部ユニットから下部ユニットへの歯車伝達状態を示す図である。
【００１９】
図５は図１の現像ラックユニットの後方側における搬送ローラを駆動する歯車列を示す図である。図６は図１の現像ラックユニットの上部ユニットの最終歯車が下部ユニットの最初の歯車を駆動する様子を示す図である（その駆動することによる反力をべクトルで示す）。図７は図１の現像ラックユニットの要部を示すために一部を破断した要部斜視図である。
【００２０】
図１に示すように、現像処理装置１０は、露光後の感光紙の現像処理を行うために複数の処理槽として、上流側から順に、現像を行う現像液槽１１と、定着処理を行う定着液槽１２と、安定処理を行う第１安定液槽１３と、第２安定液槽１４と、第３安定液槽１５と、第４安定液槽１６と、を備え、各槽１１乃至１６は感光紙を搬送するための搬送機構を有する。
【００２１】
露光後の感光紙は、図１のように、図１の水平搬送方向Ｈから現像液槽１１の上部の搬送ローラ対１１ａにより現像液槽１１内に進入しガイドに従って現像液槽１１を上下して現像液中で現像処理され、次に定着液槽１２に送られて定着液槽１２を上下して定着液中で定着処理され、次に第１乃至第４安定液槽１３乃至１６に順に送られて各安定液槽１３乃至１６で上下して各安定液中で安定処理されてから、乾燥処理されて外部に出力するようになっている。
【００２２】
〈現像ラックユニットの全体構成〉
【００２３】
次に、本実施の形態による現像ラックユニットの全体構成について図１，図２を参照して説明する。
【００２４】
図１のように、現像液槽１１内には本実施の形態による現像ラックユニット２０が収容されており、現像ラックユニット２０は装置使用時に現像液中に浸漬された状態で搬送機構により感光紙を上下方向に延びた搬送径路Ｐ１，Ｐ２に沿って搬送するようになっている。
【００２５】
現像ラックユニット２０は、図１のように、水平搬送方向Ｈのほぼ中央で上下方向に感光紙をガイドするセンターガイド３１，３２，３３が設けられており、その水平搬送方向Ｈの上流側に同じく感光紙をガイドするサイドガイド３１ａ、３２ａ、３３ａがそれぞれセンターガイド３１，３２，３３に対向して設けられ、その水平搬送方向Ｈの下流側に同じく感光紙をガイドするサイドガイド３１ｂ、３２ｂ、３３ｂがそれぞれセンターガイド３１，３２，３３に対向して設けられている。
【００２６】
上流側のサイドガイド３１ａ、３２ａ、３３ａとセンターガイド３１，３２，３３との間に感光紙の搬送径路Ｐ１が縦方向に延びて形成され、下流側のサイドガイド３１ｂ、３２ｂ、３３ｂとセンターガイド３１，３２，３３との間に感光紙の搬送径路Ｐ２が縦方向に延びて形成されている。
【００２７】
現像ラックユニット２０には、感光紙の搬送機構として、上から順に搬送ローラユニット２５，２６，２７，２８が縦方向に離れて配置されている。搬送ローラユニット２５がセンターガイド３１及びサイドガイド３１ａ、３１ｂの上部に配置され、搬送ローラユニット２６がセンターガイド３１、サイドガイド３１ａ、３１ｂとセンターガイド３２、サイドガイド３２ａ、３２ｂとの間に配置され、搬送ローラユニット２７がセンターガイド３２、サイドガイド３２ａ、３２ｂとセンターガイド３３、サイドガイド３３ａ、３３ｂとの間に配置され、更に搬送ローラユニット２８がセンターガイド３３及びサイドガイド３３ａ、３３ｂの下部に配置されている。
【００２８】
各搬送ローラユニット２５乃至２８は、それぞれ図１の水平方向中央に駆動ローラ２５ａ，２６ａ，２７ａ，２８ａを備え、駆動ローラ２５ａ〜２８ａの両側にそれぞれ２つの従動ローラを備えており、それぞれニップ搬送ローラを構成し、駆動ローラ２５ａ〜２８ａの回転により感光紙を間に挟んで上下方向に搬送するようになっている。
【００２９】
〈上部ユニットと下部ユニット〉
【００３０】
次に、現像ラックユニット２０を２分割にした上部ユニットと下部ユニットにについて図１，図２，図３を参照して説明する。
【００３１】
図１，図２に示すように、現像ラックユニット２０は、上部ユニット２１と下部ユニット２２とに図１，図３の破線で示す分割ラインＢで上下方向に略２等分割されており、上部ユニット２１が下部ユニット２２上に一体的に積載されている。
【００３２】
上部ユニット２１は、図１，図２のように、装置前面側（図２の左側）の前パネル４１と、装置背面側（図２の右側）の後パネル４３との間に搬送ローラユニット２５，２６と、１列のセンターガイド３１と、サイドガイド３１ａ、３１ｂとが配置されており、センターガイド３１により前パネル４１と後パネル４３とが連結されている。上部ユニット２１のサイドガイド３１ａ、３１ｂは、後述の下部ユニット２２と同様に、コイルばねの圧縮ばね力により前パネル４１と後パネル４３との間に保持されており、前パネル４１と後パネル４３との間から取り外し可能な構成となっている。
【００３３】
下部ユニット２２は、装置前面側（図２の左側）の前パネル４２と、装置背面側（図２の右側）の後パネル４４との間に、搬送ローラユニット２７，２８と、上下に２列並んだセンターガイド３２，３３と、サイドガイド３２ａ，３２ｂ，３３ａ，３３ｂとが配置されており、センターガイド３２，３３により前パネル４２と後パネル４４とが連結されている。下部ユニット２２のサイドガイド３２ａ，３２ｂ，３３ａ，３３ｂは、装置前方に設けたコイルばね２２ａの圧縮ばね力により前パネル４２と後パネル４４との間に保持されており、前パネル４２と後パネル４４との間から取り外し可能な構成となっている。図２に各サイドガイド３１ａ乃至３３ａを取り外した状態を示す。
【００３４】
図２のように、上部ユニット２１には前パネル４１と後パネル４３とを連結する部材としては上述の１列のセンターガイド３１しか存在せず、上部ユニット２１単体では躯体的形状を維持するまでの剛性は有しておらず、長手方向の軸に対してねじれ可能であり柔軟構造を有している。このため、上部ユニット２１は、下部ユニット２２へ積載されたときに、下部ユニット２２の躯体形状に従った躯体形状を形成するので、下部ユニット２２の精度に依存し、上部ユニット２１の精度はさほど要求されず、組み立て性及び洗浄等のメンテナンス性の向上に寄与する。
【００３５】
上述のように、現像ラックユニット２０は、感光紙の搬送径路Ｐ１，Ｐ２が延長されて長く構成された場合でも、２分割構成とすることで、上部ユニット２１と下部ユニット２２とに重量が略２等分されるので、各ユニット２１，２２の重量は作業者一人で取り扱うことのできる８ｋｇｗ未満になっている。
【００３６】
〈上部ユニットと下部ユニットとの係合構造〉
【００３７】
次に、現像ラックユニット２０における上部ユニットと下部ユニットとの係合構造について図２，図３，図４，図７を参照して説明する。
【００３８】
図３，図７のように、現像ラックユニット２０の高さ方向の中間地点に分割ラインＢが設定されており、下部ユニット２２のセンターガイド３２，３３が連結された前パネル４２には、分割ラインＢと同一レベルで折り曲げられた平面部４２ａが形成され、この平面部４２ａに係合ピン４５が設けられている。前パネル４２は上部ユニット２１の前パネル４１の全面を覆うようにして平面部４２ａから上方に延びており、その上端に矩形状に切り欠かれた凹部４２ｂが形成されるとともに、その両側端に折り曲げられた側面部４２ｃが形成され、各側面部４２ｃに下向きにスリット４２ｄが装置本体の板状の前基準パネル１８に差し込まれるように形成されている。
【００３９】
また、下部ユニット２２のセンターガイド３２，３３が連結された後パネル４４も、前パネル４２と同様に構成され、図４，図７のように、分割ラインＢと同一レベルで折り曲げられた平面部４４ａに係合ピン５５が設けられ、上端に矩形状に切り欠かれた凹部４４ｂが設けられ、上端の両側端に設けられた各側面部４４ｃに下向きにスリットが形成されている。
【００４０】
また、図３，図７のように、上部ユニット２１の前パネル４１には、図３の分割ラインＢと同一レベルで折り曲げられた平面部４１ａが形成され、この平面部４１ａに下部ユニット２２の係合ピン４５と係合する孔部４６が設けられている。前パネル４１は下部ユニット２２の前パネル４２の内側で平面部４１ａから上方に延びており、その上端に下部ユニット２２の凹部４２ｂに係合するように折り曲げられた係合平面部４１ｂが形成されるとともに、その両側端に折り曲げられた側面部４１ｃが形成され、各側面部４１ｃに下向きにスリット４１ｄが装置本体の板状の前基準パネル１８に差し込まれるように形成されている。
【００４１】
また、上部ユニット２１の後パネル４３も、前パネル４１と同様に構成され、図４，図７のように、下部ユニット２２の後パネル４４の係合ピン５５と係合する孔部５６が設けられ、上端に下部ユニット２２の凹部４４ｂに係合する係合平面部４３ｂが設けられ、上端の両側端に設けられた各側面部４３ｃに下向きにスリット４３ｄが形成されている。
【００４２】
上部ユニット２１が下部ユニット２２に積載されると、前パネル４１、４２及び後パネル４３，４４において、係合ピン４５と孔部４６との係合及び係合ピン５５と孔部５６との係合により分割ラインＢの近傍に下係合部Ａ１，Ａ２が形成され、係合平面部４１ｂと凹部４２ｂとの係合及び係合平面部４３ｂと凹部４４ｂとの係合により現像ラックユニット２０の上端に上係合部Ｃ１，Ｃ２が形成される。下係合部Ａ１，Ａ２と上係合部Ｃ１，Ｃ２とは上部ユニット２１の前後パネル４１，４３の高さに相当する距離だけ上下方向に離れている。
【００４３】
上述のように、下部ユニット２２は、前後パネル４２，４４において上端のスリット４２ｄが装置本体の基準パネルである前基準パネル１８及び後基準パネル１９にそれぞれ差し込まれて吊り下げられており、この下部ユニット２２の上方に上部ユニット２１が前後パネル４１，４３において上端のスリット４１ｄ，４３ｄが装置本体の前後基準パネル１８，１９にそれぞれ差し込まれた状態で相対的に積載される。
【００４４】
上部ユニット２１を下部ユニット２２に積載させたとき、上部ユニット２１の前パネル４１及び後パネル４３の平面部４１ａ，４３ａの下面を下係合部Ａ１，Ａ２において係合させることで、下部ユニット２２と上部ユニット２１との相対位置精度を確保している。更には、上係合部Ｃ１，Ｃ２においても、上部ユニット２１の前パネル４１及び後パネル４３の各係合平面部４１ｂ，４３ｂと係合する下部ユニット２２の凹部４２ｂ，４４ｂを形成する切り欠き形状（特に、凹部４２ｂ，４４ｂの切り欠き深さ）により、下部ユニット２２と上部ユニット２１との倒れ方向の相対位置精度を確保している。また、上係合部Ｃ１，Ｃ２は、現像液槽の液面よりも上方にあるので、下部ユニット２２と上部ユニット２１との連結・結合を目視確認し易くなり、連結不良による搬送不良を防ぐことができる
【００４５】
〈上部ユニットと下部ユニットとの固着構造〉
【００４６】
次に、現像ラックユニット２０における上部ユニットと下部ユニットとの固着構造について図４乃至図６を参照して説明する。
【００４７】
図５に示すように、現像ラックユニット２０は、図１の各搬送ローラユニット２５乃至２８の駆動ローラ２５ａ，２６ａ，２７ａ，２８ａを回転駆動させるために、上部ユニット２１から下部ユニット２２まで連結した歯車ユニット６１，６２，６３，６４から構成された一連の駆動歯車列を現像ラックユニットの後方側に有する。
【００４８】
即ち、上部ユニット２１において、歯車ユニット６１が動力源のモータ（図示省略）からのトルクを伝達して駆動ローラ２５ａを回転駆動し、歯車ユニット６１からトルクが伝達された歯車ユニット６２が駆動ローラ２６ａを回転駆動し、更に、下部ユニット２２において、上部ユニット２１の歯車ユニット６２からトルクが伝達された歯車ユニット６３が駆動ローラ２７ａを回転駆動し、歯車ユニット６３からトルクが伝達された歯車ユニット６４が駆動ローラ２８ａを回転駆動するようになっている。
【００４９】
図４乃至図６に示すように、下部ユニット２２の歯車ユニット６３は、太陽歯車６３ａと、太陽歯車６３ａの周囲で公転及び自転可能な衛星歯車６３ｂと、を備える。図６のように、衛星歯車６３ｂが上部ユニット２１側の歯車ユニット６２に設けられた最終歯車６２ａと噛み合うことで連結し、上部ユニット２１側から回転トルクが下部ユニット２２側に伝達される。
【００５０】
そして、下部ユニット２２側の衛星歯車６３ｂと噛み合った上部ユニット２１側の最終歯車６２ａは、図６の回転方向Ｒに回転駆動されることで、衛星歯車６３ｂを図６の回転方向ｒに回転駆動するとともに、図６の圧力角方向Ｄにべクトル反力を受ける。この反力により下係合部Ａ１，Ａ２の係合ピン４５，５５と孔部４６，５６との間に反力の分力に応じてスライド荷重が加わることで、上部ユニット２１と下部ユニット２２の固着力を生起させる。
【００５１】
図１の現像処理装置１０が作動し感光紙を搬送するとき駆動源のモータ（図示省略）からのトルクが歯車ユニット６１，６２，６３，６４を介して駆動ローラ２５ａ，２６ａ，２７ａ，２８ａに伝達されるが、下部ユニット２２に積載された上部ユニット２１と下部ユニット２２とが分割ラインＢの近傍において上部ユニット２１側の最終歯車６２ａと下部ユニット２２側の衛星歯車６３ｂとの歯車伝達力により固着され締結される。
【００５２】
上述のように、下部ユニット２２の搬送ローラユニット２７，２８の駆動ローラ２７ａ，２８ａを駆動する歯車伝達力を利用し、上部ユニット２１と下部ユニット２２とを相対的に固着せしめることにより、上部ユニット２１と下部ユニット２２とを固着する特別なロック機構も、その操作をも必要とせず、下部ユニット２２を上部ユニット２１と下部ユニット２２とを精度よく一体的に締結させることができ、図１，図５の搬送径路Ｐ１，Ｐ２における感光紙の通り精度を維持できる。
【００５３】
また、上部ユニット２１を下部ユニット２２に積載したとき、下部ユニット２２側の衛星歯車６３ｂの歯と上部ユニット２１側の最終歯車６２ａの歯とが噛み合わずに歯先どうしが当接した場合は、この当接により図６の揺動レバー６６が衛星歯車６３ｂとともに下方に退避し、その後、最終歯車６２ａの回転開始により、付勢ばね６７の付勢力により衛星歯車６３ｂが噛み合う方向に付勢されて最終歯車６２ａと正規に噛み合うようになる。
【００５４】
以上のように、現像搬送径路が延長された従来の現像ラックはその重量が１５ｋｇｗ程度まで重くなっており、かつ、その高さは６００ｍｍに達して長くなっており、作業者一人での取り扱い性や、現像処理液交換の際の洗浄作業等は、相当に困難なものであったのに対し、本実施の形態による現像ラックユニットによれば、上下ユニットの２分割構成とし、上部ユニット２１及び下部ユニット２２のそれぞれは８ｋｇｗ以下になり軽量化を実現でき、二度に分けて上下ユニット２１，２２を引き上げることができ、作業者一人での取り扱い性が向上し、現像処理液交換の際の洗浄作業等を一人で容易に行うことができる。
【００５５】
また、下部ユニット２２を装置本体の前後基準パネル１８，１９に吊り下げるとともに、下部ユニット２２の上方に上部ユニット２１を装置本体の前後基準パネル１８，１９に吊り下げた状態で相対的に積載することで、上下ユニット２１，２２を締結するねじやラッチ等の特別な締結手段を設ける必要がなく、上部ユニット２１の自重と、歯車による駆動伝達力を利用し上下ユニットを固着一体化できるので、洗浄作業等の一人作業を簡単に行うことができるとともに、搬送径路における通り精度を確保できる。
【００５６】
以上のように本発明を実施するための最良の形態について説明したが、本発明はこれらに限定されるものではなく、本発明の技術的思想の範囲内で各種の変形が可能である。例えば、図７等の下係合部Ａ１，Ａ２において、係合ピンを上部ユニット２１側に設け、係合ピンが係合する孔部を下ユニット側に設けてもよい。
【図面の簡単な説明】
【００５７】
【図１】本実施の形態による現像ラックユニットを含む現像処理装置の全体を示す正面図である。
【図２】図１の右方から図１のセンターガイドをみた図である。
【図３】図１の現像ラックユニットの前方側における上部ユニットと下部ユニットとの積載・接続状態を示す図である。
【図４】図１の現像ラックユニットの後方側における上部ユニットと下部ユニットとの積載・接続状態及び上部ユニットから下部ユニットへの歯車伝達状態を示す図である。
【図５】図１の現像ラックユニットの後方側における搬送ローラを駆動する歯車列を示す図である。
【図６】図１の現像ラックユニットの上部ユニットの最終歯車が下部ユニットの最初の歯車を駆動する様子を示す図である。
【図７】図１の現像ラックユニットの要部を示すために一部を破断してみた要部斜視図である。
【符号の説明】
【００５８】
１０ 現像処理装置
１１ 現像液槽
１１ａ 搬送ローラ対
１２ 定着液槽
１３〜１６ 安定液槽
１８ 前基準パネル
１９ 後基準パネル
２０ 現像ラックユニット
２１ 上部ユニット
２２ 下部ユニット
２５〜２８ 搬送ローラユニット
２５ａ〜２８ａ 駆動ローラ
３１，３２，３３ センターガイド
４１ 前パネル
４１ｂ 係合平面部
４２ 前パネル
４２ｂ 凹部
４３ 後パネル
４３ｂ 係合平面部
４４ 後パネル
４４ｂ 凹部
４５，５５ 係合ピン
４６，５６ 孔部
６１〜６４ 歯車ユニット
６２ａ 最終歯車
６３ａ 太陽歯車
６３ｂ 衛星歯車
Ａ１，Ａ２ 下係合部
Ｂ 分割ライン
Ｃ１，Ｃ２ 上係合部
Ｄ 圧力角方向
Ｈ 水平搬送方向
Ｐ１，Ｐ２ 搬送径路
【図１】
2007309993.tif 000003
【図２】
2007309993.tif 000004
【図３】
2007309993.tif 000005
【図４】
2007309993.tif 000006
【図５】
2007309993.tif 000007
【図６】
2007309993.tif 000008
【図７】
2007309993.tif 000009